(57)【要約】【課題】  ストロボ光を着色することにより警報効果を増大することのできる光警報装置を提供する。【解決手段】  ストロボ光源１１と、前記ストロボ光源からの光を反射させる反射鏡１２と、前記ストロボ光源および反射鏡を覆うレンズ体１３とから成り、前記反射鏡表面に着色コーティング層を形成したので、ストロボ光を着色することができ、警報効果を増大することができる。【選択図】  図２
2005174095.tif 000002
【特許請求の範囲】
【請求項１】
ストロボ光源と、前記ストロボ光源からの光を反射させる反射鏡と、前記ストロボ光源および反射鏡を覆うレンズ体とから成り、前記反射鏡表面に着色コーティング層を形成したことを特徴とする光警報装置。
【請求項２】
前記レンズ体と着色コーティング層を同一色に着色したことを特徴とする請求項１に記載の光警報装置。
【請求項３】
前記反射鏡は、複数の傾きを有する反射面から構成されたことを特徴とする請求項１または２に記載の光警報装置。
【請求項４】
前記反射鏡は、頂角の異なる複数の円錐面から構成された凹面状をなすことを特徴とする請求項１〜３の何れか１に記載の光警報装置。
【請求項５】
前記レンズ体近傍に警報音発生機構を備えたことを特徴とする請求項１〜４の何れか１に記載の光警報装置。
【発明の詳細な説明】
【技術分野】
【０００１】
本発明は、建物の内部或いは屋外に設置され、火災等の非常時に光と音によって、建物内部に居る人、または周囲に居る人に警告を与えることのできる光警報装置に関する。
【背景技術】
【０００２】
従来、火災等の際に光で警報を発す装置は、種々提案されている。しかし、これらの警報装置に使用されている光源は、通常の電球であり光による警報効果があまり期待出来なかった。また、この欠点を解消するべく光源をより強力なものにすることも考えられる。
【０００３】
また、ストロボ光源（キセノンガスを利用した放電管）の閃光を利用した多機能警報器が、特許文献１に開示されている。ここには、ブザーとフラッシュ光が自動点滅することにより、保持する鞄類のひったくり盗難防止用の警報器が開示されている。
【特許文献１】特開平７−５１１１３号公報
【発明の開示】
【発明が解決しようとする課題】
【０００４】
しかし、単に上記従来の光警報装置の光源を単に強力にするだけでは、状況によっては警報効果が少なかった。また、ストロボ光源を使用した特許文献１の場合、ストロボ光源は白色閃光である為に使用する状況によっては、認識され難いと言う問題が存在した。また、ストロボ光源自体を着色することは難しかった。
【課題を解決するための手段】
【０００５】
上記目的を達成するため、本発明に係る光警報装置は、ストロボ光源と、前記ストロボ光源からの光を反射させる反射鏡と、前記ストロボ光源および反射鏡を覆うレンズ体とから成り、前記反射鏡表面に着色コーティング層を形成したことを特徴とする。
【０００６】
また本発明において、前記レンズ体と着色コーティング層を同一色に着色されたことを特徴とする。
【０００７】
また本発明において、前記反射鏡は、複数の傾きを有する反射面から構成されたことを特徴とする。
【０００８】
また本発明において、前記反射鏡は頂角の異なる複数の円錐面からなる凹面状をなすことを特徴とする。
【０００９】
また本発明において、前記レンズ体近傍に警報音発生機構を備えたことを特徴とする。
【発明の効果】
【００１０】
以上説明したように本発明の光警報装置は、ストロボ光源と、前記ストロボ光源からの光を反射させる反射鏡と、記ストロボ光源および反射鏡を覆うレンズ体とから成り、前記反射鏡表面に着色コーティング層を形成したので、白色光であるストロボ光源からの光を着色して、警報効果を増大することができる。また、反射面をコーティングすることにより、反射面を保護し、環境条件により反射効果が低下するのを防止することができる。
【００１１】
また、本発明の光警報装置において、前記レンズ体と着色コーティング層を同一色に着色されたので、ストロボ光源からの白色光をより効果的に着色することができる。また、光警報装置の使用状態に応じてより効果的な色彩を選択することが可能となる。
【００１２】
また、本発明の光警報装置において、前記反射鏡は、複数の傾きを有する反射面から構成されたので、光源からの光を効果的に散乱させ、警報効果を増すことができる。
【００１３】
また、本発明の光警報装置において、前記反射鏡は、頂角の異なる複数の円錐を傾けて凹面状に合成したので、光源からの光を効果的に周囲に散乱させ、警報効果を高めることができる。
【００１４】
また、本発明の光警報装置において、前記レンズ体近傍に警報音発生機構を備えたので、光だけでなく音声によっても警報を発することができ、警報効果を増すことができる。
【発明を実施するための最良の形態】
【００１５】
反射鏡を着色コーティングすると共にレンズ体も同様の色で着色したので、白色であるストロボ光を使用して、周囲への警報効果を増大させた光警報装置を実現した。
【実施例１】
【００１６】
以下、図面を参照して本発明の一実施の形態について説明する。図１は、本発明の一実施形態である光警報装置を示す平面図、図２は、同光警報装置を示す拡大縦断面図、図３は、同光警報装置に使用されるレンズ体を示す正面図、図４は、同レンズ体を示す平面図である。ここで、光警報装置１０は、ストロボ光源１１とこのストロボ光源からの光を反射させる反射鏡１２とこのストロボ光源１１および反射鏡１２を覆うレンズ体１３およびこれらを支持する装置本体１４とを備えている。
【００１７】
ストロボ光源１１は、装置本体１４内に設置された駆動回路１５或いは外部に設けられた図外の駆動回路により発光する。
【００１８】
レンズ体１３は、図３、４に示すように半球状をしており、透光性を有する部材、例えばポリカーボネート等から構成されている。また、レンズ体１３は、青（ＢＬＵＥ）、赤（ＲＥＤ）、緑（ＧＲＥＥＮ）、橙（ＡＭＢＥＲ）等の任意の色に着色することができる。更に、レンズ体１３の下端は、取り付け用段部１３ａが形成されると共に、係止脚１５が中心に対して１２０度の間隔で形成されている。また、係止脚１５は、外側に向かって係止段部１５ａが形成されている。したがって、装置本体１４に取り付ける際にワンタッチで取り付けることができる。
【００１９】
反射鏡１２は、本実施の形態では、装置本体１４の略中央に設置されており、図５〜図１０にしたがって詳述する。図５は、本発明の光警報装置に使用される反射鏡を示す平面図、図６はその正面図、図７は図５に示す反射鏡のＡ−Ｂ線断面図、図８は、図５に示す反射鏡のＣ−Ｄ線断面図である。反射鏡１２は、中央にストロボ光源１１の装着される装着孔１６を有すると共にストロボ光源１１の先端部を支えるための支柱１７が４本立設されている。また、反射鏡１２は、同心円状に配置された複数の反射面１８から構成されている。それぞれの反射面１８ａ〜１８ｆは、それぞれ異なった傾きを有している。図５，図９、１０で説明するように反射面１８ａは、頂角１３０度の円錐をＸ方向に５度傾けた形状をしている。また、反射面１８ｂは、頂角１２０度の円錐をＸ方向に１０度傾けた形状をしている。また、反射面１８ｃは、頂角１１０度の円錐をＸ方向に１５度傾けた形状をしている。また、反射面１８ｄは、頂角１００度の円錐をＸ方向に２３度傾けた形状をしている。また、反射面１８ｅは、頂角９０度の円錐をＸ方向に２８度傾けた形状をしている。また、反射面１８ｆは、頂角９０度の円錐をＸ方向に５２度傾けた形状をしている。図５に示すようにこの様に構成された反射面１８ａ〜１８ｆは、凹面状に合成されかつ、４区画にそれぞれ設置されている。
【００２０】
反射面１８は、鏡面仕上げ加工をした後、アルミ蒸着を施す。また、アルミ蒸着面には、以下のコーティングを行う。先ず、アンダーコート層を約１５μｍ、次に、アルミ蒸着層が約１５００Å、トップコート層として約１３μｍを施工する。また、トップコート層は、アルミ蒸着面を保護すると共に、前述のレンズ体１３の色彩と一致した青（ＢＬＵＥ）、赤（ＲＥＤ）、緑（ＧＲＥＥＮ）、橙（ＡＭＢＥＲ）等の着色を行う。したがって、アルミ蒸着面の形成については、同一の金属蒸着膜とする一方、トップコート層のみを必要な色彩とすることにより、最小限の仕様変更にて各種色彩のストロボ光を得ることができる。また、トップコート層の色彩をレンズ体１３の色彩と異ならせた場合、その色彩の組合せによって各種の色彩の光線を得ることができる。
【００２１】
支柱１７の先端には、支持桿３０が架け渡され、図２に示すようにストロボ光源１１の先端が支持されるとともに、配線３１によって給電される。
【００２２】
また、図１、２に示すように レンズ体１３の周囲には、警報音発生機構１９からの警報音を出す為の複数の小孔２０を有している。光警報装置１０は、光の他に音声によっても警報を発することができる。
【００２３】
以上のように構成された光警報装置１０は、屋外、建物の壁面或いは天井に設置することができ、光と音声によって周囲に警報を発することができる。また、反射鏡１２の反射面１８を着色すると共に、レンズ体１３を同一色彩で着色したので、白色であるストロボ光源１１を任意の色に着色することにより、警報効果を向上することができる。更に、複数の反射面１８をそれぞれ組み合わせて反射鏡１２を構成したので、光源からの光を効果的に散乱させて、警報効果を更に向上することができる。
【実施例２】
【００２４】
図１１〜図１８は、本発明の別の実施の形態を示すものであり、図１１は本発明の光警報装置の別の実施形態を示す平面図、図１２は本発明の光警報装置の縦断面図である。ここで、光警報装置２１は、ストロボ光源２２とこのストロボ光源からの光を反射させる反射鏡２３とこのストロボ光源２１および反射鏡２３を覆うレンズ体２４およびこれらを支持する装置本体２５とを備えている。また、レンズ体２４の隣には、装置本体２５の内部に設置された警報音発生機構２６からの警報音を出す為の複数の開孔２７を有している。
【００２５】
図１３は、光警報装置２１に使用されるレンズ体２４を示す正面図、図１４は、レンズ体２４の平面図、図１５は、レンズ体２４の背面図である。レンズ体２４は、透光性の材料、例えばポリカーボネートから構成されており、青（ＢＬＵＥ）、赤（ＲＥＤ）、緑（ＧＲＥＥＮ）、橙（ＡＭＢＥＲ）等の色に着色される。レンズ体２４は、内壁天井部にストロボ光源２２の先端部を支える係止凹部２４ａを有するとともに、複数の曲面から構成され、曲面２４ｂ、２４ｃは鏡面仕上げ加工される。また、レンズ体２４の下端には、取り付け用段部２８が形成されると共に、係止脚２９が形成されている。係止脚２９は、外側に向かって係止段部２９ａを有している。したがって、装置本体２５に取り付ける際にワンタッチで取り付けることができる。
【００２６】
図１６は、光警報装置２１に使用される反射鏡２３を示す平面図、図１７は、反射鏡２３の縦断面図、図１８は、反射鏡２３の正面図である。反射鏡２３は、中央にストロボ光源２２を装着するための装着孔３２を有する円錐状の反射面３３、および反射面３３と異なった傾きを有する反射面３４ａ、３４ｂ、３４ｃ、反射面３５ａ、３５ｂ、３５ｃ、反射面３６を有している。そして、これらの反射面３３、３４、３５、３６および側面３７は、鏡面仕上げ加工が行われアルミ蒸着が施される。アルミ蒸着面には、第１実施例と同様に以下のコーティングを行う。先ず、アンダーコート層を約１５μｍ、次に、アルミ蒸着層が約１５００Å、トップコート層として約１３μｍを施工する。また、トップコート層は、アルミ蒸着面を保護すると共に、前述のレンズ体１３の色彩と一致した青（ＢＬＵＥ）、赤（ＲＥＤ）、緑（ＧＲＥＥＮ）、橙（ＡＭＢＥＲ）等の着色を行う。
【００２７】
また、図１１、１２に示すようにレンズ体２４の隣には、開孔２７が形成されており、警報音発生機構２６で発生した警報音を鳴らすことができる。
【００２８】
以上のように構成された光警報装置２１は、音と光によって周囲に警報を発することができる。
【図面の簡単な説明】
【００２９】
【図１】図１は、本発明の一実施形態である光警報装置を示す平面図である。
【図２】図２は、同光警報装置を示す拡大縦断面図である。
【図３】図３は、同光警報装置に使用されるレンズ体を示す正面図である。
【図４】図４は、同レンズ体を示す平面図である。
【図５】図５は、同光警報装置に使用される反射鏡を示す平面図である。
【図６】図６は、同光警報装置に使用される反射鏡を示す正面図である。
【図７】図７は、図５に示す反射鏡のＡ−Ｂ線断面図である。
【図８】図８は、図５に示す反射鏡のＣ−Ｄ線断面図である。
【図９】図９は、同反射鏡を構成する反射面を説明する図である。
【図１０】図１０は、同反射鏡を構成する反射面を説明する図である。
【図１１】図１１は、同光警報装置の別の実施形態を示す平面図である。
【図１２】図１２は、同光警報装置の縦断面図である。
【図１３】図１３は、同光警報装置に使用されるレンズ体を示す正面図である。
【図１４】図１４は、同レンズ体を示す平面図である。
【図１５】図１５は、同レンズ体を示す背面図である。
【図１６】図１６は、同光警報装置に使用される反射鏡を示す平面図である。
【図１７】図１７は、同光警報装置に使用される反射鏡を示す縦断面図である。
【図１８】図１８は、同光警報装置に使用される反射鏡を示す正面図である。
【符号の説明】
【００３０】
１０    光警報装置
１１    ストロボ光源
１２    反射鏡
１３    レンズ体
１４    装置本体
１５    係止脚
１６    装着孔
１７    支柱
１８ａ〜ｆ  反射面
１９    警報音発生機構
２０    小孔
２１    光警報装置
２２    ストロボ光源
２３    反射鏡
２４    レンズ体
２５    装置本体
２６    警報音発生機構
２７    開孔
２８    取り付け用段部
２９    係止脚
２９ａ  係止段部
３０    支持桿
３１    配線
３２    装着孔
３３〜３６  反射面
３７    側面
【図１】
2005174095.tif 000003
【図２】
2005174095.tif 000004
【図３】
2005174095.tif 000005
【図４】
2005174095.tif 000006
【図５】
2005174095.tif 000007
【図６】
2005174095.tif 000008
【図７】
2005174095.tif 000009
【図８】
2005174095.tif 000010
【図９】
2005174095.tif 000011
【図１０】
2005174095.tif 000012
【図１１】
2005174095.tif 000013
【図１２】
2005174095.tif 000014
【図１３】
2005174095.tif 000015
【図１４】
2005174095.tif 000016
【図１５】
2005174095.tif 000017
【図１６】
2005174095.tif 000018
【図１７】
2005174095.tif 000019
【図１８】
2005174095.tif 000020